(57)【要約】【課題】本発明はスマホを支えられるスマホカバーを開示した。【解決手段】スマホカバー及び前記スマホカバーの中に位置しており、且つ左方に開口した保存溝を含み、前記保存溝の右端壁の中には右方に開口した旋回溝が設置され、前記旋回溝の中には旋回機構が設置され、本発明は作動している時、スマホが傾いてもスマホをしっかりと支えることができ、使用者に便利を与え、またスマホの傾斜角度を自由に制御でき、それにより異なる角度でスマホを弄ることができ、自由にスマホの傾斜角度を調整でき、それによりスマホが使用者にとって一番適合な角度で置かれることができる。【選択図】図１
2020179080.tif 000002
【特許請求の範囲】
【請求項１】
スマホカバー及び前記スマホカバーの中に位置しており、且つ左方に開口した保存溝を含み、前記保存溝の右端壁の中には右方に開口した旋回溝が設置され、前記旋回溝の中には旋回機構が設置され、前記旋回機構は前記旋回溝の上端壁に位置している固定ブロックを含み、二つの前記固定ブロックの間には固定軸が設置され、前記固定軸には支持ロッドが設置され、前記旋回溝の下端壁には二つの支持ブロックが設置され、二つの前記支持ブロックの間には支持軸が設置され、前記支持軸にはリミットロッドが設置され、前記リミットロッドの中には左方に開口したばね溝が設置され、前記ばね溝の中には左端が前記旋回溝の中に位置しているリミットブロックが設置され、前記旋回溝の下端壁の中には左方に開口した移動チャンバが設置され、前記移動チャンバの中には移動板が設置され、前記移動チャンバの後端壁の中には移動機構が設置され、前記移動機構は前記移動チャンバの後端壁の中に位置している平行移動チャンバと閉鎖チャンバとを含み、前記平行移動チャンバの中には前端が前記移動板と連結されている平行移動板が設置され、前記平行移動板の右端には右端が前記閉鎖チャンバの中に位置している平行移動ロッドが設置され、前記平行移動ロッドの右端には閉鎖板がスライドできるように設置され、前記平行移動ロッドの右端には推し動かし板が設置され、前記平行移動ロッドの右端には上方に開口した推し動かし溝が設置され、前記スマホカバーの中にはまた前記旋回溝を貫通しているスライドチャンバが設置され、前記スライドチャンバの中にはスライド板が設置され、前記スライドチャンバの上端壁には下端壁の前側が前記スライドチャンバに連通している気圧チャンバが設置され、前記気圧チャンバの中には二つの気圧板が設置され、二つの前記気圧板の間には気圧ロッドが設置され、且つ前側の前記気圧板の下端が前記スライド板と連結され、前記スライド板の後側には後端が前記スライドチャンバの後端壁と連結される二つのスライドばねが設置され、前記移動板の右端には上方に開口したスライド溝が設置され、前記移動チャンバの後端壁には前記スライドチャンバと前記移動チャンバとを連通する収納溝が設置され、前記スライド板の下端が前記移動チャンバを貫通しており、且つ前記スライド溝の中に位置しており、その作用は前記支持ロッドと前記リミットロッドとの協働により、スマホが傾く時でもスマホが倒れないようにスマホを支えることができるのであることを特徴とするスマホを支えられるスマホカバー。
【請求項２】
前記旋回機構はまた前記ばね溝の上端壁の中に位置している回転溝を含み、前記回転溝の左右端壁の間には回転軸と従動軸とが設置され、前記回転軸には回転ギヤが設置され、前記回転軸と前記回転溝の端壁との間には第一捻りばねが設置され、前記従動軸には従動ギヤが設置され、前記従動軸と前記回転溝の端壁との間には第二捻りばねが設置され、前記回転軸の左端には下端が前記移動板と連結されているロープが設置され、前記従動軸には下端が前記リミットブロックと連結されているチェーンが設置され、前記リミットブロックの右端と前記ばね溝の上端壁との間には復帰ばねが設置され、その作用は前記移動板の制御により前記リミットブロックを制御することを実現することであることを特徴とする請求項１に記載のスマホを支えられるスマホカバー。
【請求項３】
前記移動機構はまた前記平行移動チャンバの中に位置している推し動かしチャンバを含み、前記推し動かしチャンバの前後端壁の間には推し動かし軸が設置され、前記推し動かし軸には推し動かしギヤが設置され、前記推し動かしギヤの上端には左端が前記平行移動チャンバの中に位置している電磁ロッドが噛み合って連結され、前記推し動かしチャンバの下端壁の中には右方に開口した押し出しチャンバが設置され、前記押し出しチャンバの左端壁には押し出しばねが設置され、前記押し出しばねの右端には上端が前記推し動かしギヤと噛み合って連結されている押し出し板が設置され、前記押し出し板の右端には台形ブロックが設置され、前記閉鎖板の中には昇降チャンバが設置され、前記昇降チャンバの左端壁には左方に開口した昇降溝が設置され、前記昇降チャンバの中には右端が前記昇降ブロックと連結されている連結ブロックが設置され、前記昇降チャンバの右端壁には左方に開口した制限チャンバが設置され、前記制限チャンバの上端壁には制限ばねが設置され、前記制限ばねの下端には左端が前記昇降ブロックと連結されている制限ブロックが設置され、前記閉鎖チャンバの右端壁には前記気圧チャンバに連通している通気パイプが設置され、その作用は前記スライド板の運動を制御するのであることを特徴とする請求項１に記載のスマホを支えられるスマホカバー。
【発明の詳細な説明】
【技術分野】
【０００１】
本発明はスマホカバー分野に関わり、具体的にはスマホを支えられるスマホカバーである。
【背景技術】
【０００２】
目下、今までのスマホホルダーの多数はスマホを支える角度を変えられなく、人自身が携帯の傾斜角度に適応することが必要であり、それにより使用者にとって非常に不便であり、またあるスマホホルダーが異なる角度に変化できてもるスマホホルダーもあるが、スマホを支えるのが不安定である。
【先行技術文献】
【特許文献】
【０００３】
【特許文献１】中国特許出願公開第108124039号明細書
【発明の概要】
【発明が解決しようとする課題】
【０００４】
本発明の目的はスマホを支えられるスマホカバーを提供し、上記の背景技術の中に提出された問題を解決するのである。
【課題を解決するための手段】
【０００５】
上記の目的を実現するため、本発明は以下の技術プランを提供する：本発明はスマホを支えられるスマホカバーであり、スマホを支えられるスマホカバーはスマホカバー及び前記スマホカバーの中に位置しており、且つ左方に開口した保存溝を含み、前記保存溝の右端壁の中には右方に開口した旋回溝が設置され、前記旋回溝の中には旋回機構が設置され、前記旋回機構は前記旋回溝の上端壁に位置している固定ブロックを含み、二つの前記固定ブロックの間には固定軸が設置され、前記固定軸には支持ロッドが設置され、前記旋回溝の下端壁には二つの支持ブロックが設置され、二つの前記支持ブロックの間には支持軸が設置され、前記支持軸にはリミットロッドが設置され、前記リミットロッドの中には左方に開口したばね溝が設置され、前記ばね溝の中には左端が前記旋回溝の中に位置しているリミットブロックが設置され、前記旋回溝の下端壁の中には左方に開口した移動チャンバが設置され、前記移動チャンバの中には移動板が設置され、前記移動チャンバの後端壁の中には移動機構が設置され、前記移動機構は前記移動チャンバの後端壁の中に位置している平行移動チャンバと閉鎖チャンバとを含み、前記平行移動チャンバの中には前端が前記移動板と連結されている平行移動板が設置され、前記平行移動板の右端には右端が前記閉鎖チャンバの中に位置している平行移動ロッドが設置され、前記平行移動ロッドの右端には閉鎖板がスライドできるように設置され、前記平行移動ロッドの右端には推し動かし板が設置され、前記平行移動ロッドの右端には上方に開口した推し動かし溝が設置され、前記スマホカバーの中にはまた前記旋回溝を貫通しているスライドチャンバが設置され、前記スライドチャンバの中にはスライド板が設置され、前記スライドチャンバの上端壁には下端壁の前側が前記スライドチャンバに連通している気圧チャンバが設置され、前記気圧チャンバの中には二つの気圧板が設置され、二つの前記気圧板の間には気圧ロッドが設置され、且つ前側の前記気圧板の下端が前記スライド板と連結され、前記スライド板の後側には後端が前記スライドチャンバの後端壁と連結される二つのスライドばねが設置され、前記移動板の右端には上方に開口したスライド溝が設置され、前記移動チャンバの後端壁には前記スライドチャンバと前記移動チャンバとを連通する収納溝が設置され、前記スライド板の下端が前記移動チャンバを貫通しており、且つ前記スライド溝の中に位置しており、その作用は前記支持ロッドと前記リミットロッドとの協働により、スマホが傾く時でもスマホが倒れないようにスマホを支えることができるのである。
【０００６】
好ましくは、前記旋回機構はまた前記ばね溝の上端壁の中に位置している回転溝を含み、前記回転溝の左右端壁の間には回転軸と従動軸とが設置され、前記回転軸には回転ギヤが設置され、前記回転軸と前記回転溝の端壁との間には第一捻りばねが設置され、前記従動軸には従動ギヤが設置され、前記従動軸と前記回転溝の端壁との間には第二捻りばねが設置され、前記回転軸の左端には下端が前記移動板と連結されているロープが設置され、前記従動軸には下端が前記リミットブロックと連結されているチェーンが設置され、前記リミットブロックの右端と前記ばね溝の上端壁との間には復帰ばねが設置され、その作用は前記移動板の制御により前記リミットブロックを制御することを実現することである。
【０００７】
好ましくは、前記移動機構はまた前記平行移動チャンバの中に位置している推し動かしチャンバを含み、前記推し動かしチャンバの前後端壁の間には推し動かし軸が設置され、前記推し動かし軸には推し動かしギヤが設置され、前記推し動かしギヤの上端には左端が前記平行移動チャンバの中に位置している電磁ロッドが噛み合って連結され、前記推し動かしチャンバの下端壁の中には右方に開口した押し出しチャンバが設置され、前記押し出しチャンバの左端壁には押し出しばねが設置され、前記押し出しばねの右端には上端が前記推し動かしギヤと噛み合って連結されている押し出し板が設置され、前記押し出し板の右端には台形ブロックが設置され、前記閉鎖板の中には昇降チャンバが設置され、前記昇降チャンバの左端壁には左方に開口した昇降溝が設置され、前記昇降チャンバの中には右端が前記昇降ブロックと連結されている連結ブロックが設置され、前記昇降チャンバの右端壁には左方に開口した制限チャンバが設置され、前記制限チャンバの上端壁には制限ばねが設置され、前記制限ばねの下端には左端が前記昇降ブロックと連結されている制限ブロックが設置され、前記閉鎖チャンバの右端壁には前記気圧チャンバに連通している通気パイプが設置され、その作用は前記スライド板の運動を制御するのである。
【発明の効果】
【０００８】
以上により、本発明の有益な効果は：本装置は構成が簡単で、操作が便利で、スマホが傾いてもそれスマホをしっかりと支えることができ、使用者に便利を与え、またスマホの傾斜角度を自由に制御でき、それにより異なる角度でスマホを弄ることができ、今までのスマホホルダーと比べ、本装置は人自身がスマホの傾斜角度に適応することが不要で、自由にスマホの傾斜角度を調整でき、それによりスマホが使用者にとって一番適合な角度で置かれることができる。
【図面の簡単な説明】
【０００９】
本発明の実施例または既存の技術にある技術方案をよりはっきり説明できるため、下記に実施例または既存の技術を述べることに対して必要な附図を簡単に紹介する。明らかなように、下記に述べる附図はただ発明の一部分の実施例で、当業者にとって、創造的な労働を払わなくても、これらの附図に基づいてほかの附図を獲得でき、次に図１―４を交えて本発明について詳しく説明する。意思の疎通に便利なために、後文に出る方位を下記通りに規定する：後文に出る上下左右前後方向は図１主体の投影関係の上下左右前後方向と一致する。
【００１０】
【図１】図１は本発明のスマホを支えられるスマホカバーの全体断面の正面構造模式図
【図２】図２は本発明のスマホを支えられるスマホカバーの全体断面の左側面の構造模式図
【図３】図３は本発明のスマホを支えられるスマホカバーの移動機構の全体断面の正面拡大構造模式図
【図４】図４は本発明のスマホを支えられるスマホカバーの回転溝の全体断面の左側面の拡大構造模式図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４を参照し、本発明の実施例はスマホを支えられるスマホカバーであり、スマホを支えられるスマホカバーはスマホカバー１及び前記スマホカバー１の中に位置しており、且つ左方に開口した保存溝２を含み、前記保存溝２の右端壁の中には右方に開口した旋回溝６が設置され、前記旋回溝６の中には旋回機構５４が設置され、前記旋回機構５４は前記旋回溝６の上端壁に位置している固定ブロック４を含み、二つの前記固定ブロック４の間には固定軸３が設置され、前記固定軸３には支持ロッド５が設置され、前記旋回溝６の下端壁には二つの支持ブロック１３が設置され、二つの前記支持ブロック１３の間には支持軸１２が設置され、前記支持軸１２にはリミットロッド１１が設置され、前記リミットロッド１１の中には左方に開口したばね溝８が設置され、前記ばね溝８の中には左端が前記旋回溝６の中に位置しているリミットブロック１０が設置され、前記旋回溝６の下端壁の中には左方に開口した移動チャンバ２１が設置され、前記移動チャンバ２１の中には移動板２３が設置され、前記移動チャンバ２１の後端壁の中には移動機構５５が設置され、前記移動機構５５は前記移動チャンバ２１の後端壁の中に位置している平行移動チャンバ３３と閉鎖チャンバ４１とを含み、前記平行移動チャンバ３３の中には前端が前記移動板２３と連結されている平行移動板３２が設置され、前記平行移動板３２の右端には右端が前記閉鎖チャンバ４１の中に位置している平行移動ロッド３５が設置され、前記平行移動ロッド３５の右端には閉鎖板３０がスライドできるように設置され、前記平行移動ロッド３５の右端には推し動かし板４９が設置され、前記平行移動ロッド３５の右端には上方に開口した推し動かし溝５０が設置され、前記スマホカバー１の中にはまた前記旋回溝６を貫通しているスライドチャンバ１９が設置され、前記スライドチャンバ１９の中にはスライド板１８が設置され、前記スライドチャンバ１９の上端壁には下端壁の前側が前記スライドチャンバ１９に連通している気圧チャンバ２７が設置され、前記気圧チャンバ２７の中には二つの気圧板２８が設置され、二つの前記気圧板２８の間には気圧ロッド２９が設置され、且つ前側の前記気圧板２８の下端が前記スライド板１８と連結され、前記スライド板１８の後側には後端が前記スライドチャンバ１９の後端壁と連結される二つのスライドばね２６が設置され、前記移動板２３の右端には上方に開口したスライド溝２２が設置され、前記移動チャンバ２１の後端壁には前記スライドチャンバ１９と前記移動チャンバ２１とを連通する収納溝２４が設置され、前記スライド板１８の下端が前記移動チャンバ２１を貫通しており、且つ前記スライド溝２２の中に位置しており、その作用は前記支持ロッド５と前記リミットロッド１１との協働により、スマホが傾く時でもスマホが倒れないようにスマホを支えることができるのである。
【００１３】
有益なように、前記旋回機構５４はまた前記ばね溝８の上端壁の中に位置している回転溝１４を含み、前記回転溝１４の左右端壁の間には回転軸５３と従動軸１６とが設置され、前記回転軸５３には回転ギヤ５１が設置され、前記回転軸５３と前記回転溝１４の端壁との間には第一捻りばね５２が設置され、前記従動軸１６には従動ギヤ１７が設置され、前記従動軸１６と前記回転溝１４の端壁との間には第二捻りばね１５が設置され、前記回転軸５３の左端には下端が前記移動板２３と連結されているロープ２０が設置され、前記従動軸１６には下端が前記リミットブロック１０と連結されているチェーン９が設置され、前記リミットブロック１０の右端と前記ばね溝８の上端壁との間には復帰ばね７が設置され、その作用は前記移動板２３の制御により前記リミットブロック１０を制御することを実現することである。
【００１４】
有益なように、前記移動機構５５はまた前記平行移動チャンバ３３の中に位置している推し動かしチャンバ３７を含み、前記推し動かしチャンバ３７の前後端壁の間には推し動かし軸３９が設置され、前記推し動かし軸３９には推し動かしギヤ３８が設置され、前記推し動かしギヤ３８の上端には左端が前記平行移動チャンバ３３の中に位置している電磁ロッド３６が噛み合って連結され、前記推し動かしチャンバ３７の下端壁の中には右方に開口した押し出しチャンバ５６が設置され、前記押し出しチャンバ５６の左端壁には押し出しばね３１が設置され、前記押し出しばね３１の右端には上端が前記推し動かしギヤ３８と噛み合って連結されている押し出し板３４が設置され、前記押し出し板３４の右端には台形ブロック４０が設置され、前記閉鎖板３０の中には昇降チャンバ４４が設置され、前記昇降チャンバ４４の左端壁には左方に開口した昇降溝４３が設置され、前記昇降チャンバ４４の中には右端が前記昇降ブロック４７と連結されている連結ブロック４２が設置され、前記昇降チャンバ４４の右端壁には左方に開口した制限チャンバ４６が設置され、前記制限チャンバ４６の上端壁には制限ばね４５が設置され、前記制限ばね４５の下端には左端が前記昇降ブロック４７と連結されている制限ブロック４８が設置され、前記閉鎖チャンバ４１の右端壁には前記気圧チャンバ２７に連通している通気パイプ２５が設置され、その作用は前記スライド板１８の運動を制御するのである。
【００１５】
下記に、出願人は附図１〜４及び上記のスマホを支えられるスマホカバーの具体的な構成を参考してスマホを支えられるスマホカバーの使用方法を紹介する：
【００１６】
最初に電磁ロッド３６と平行移動板３２とが互いに吸引し合い、本装置を使用する時、スライド板１８を後へ推し動かし、それにより気圧ロッド１９と気圧板２８とが後に運動し、それにより閉鎖板３０と、平行移動ロッド３５と、平行移動板３２と移動板２３とが左へ運動し、平行移動板３２の運動が電磁ロッド３６を運動連動させ、それにより推し動かしギヤ３８が回転し、それにより押し出し板３４と台形ブロック４０とが右へ押し出され、スライド板１８が一番後ろまで運動した時、閉鎖板３０が一番左側に運動し、台形ブロック４０の作用の下で、連結ブロック４２と、昇降ブロック４７と制限ブロック４８とが上昇し、昇降ブロック４７が上昇して推し動かし溝５０から離れる。
【００１７】
支持ロッド５とリミットロッド１１とを回転させ、それにより支持ロッド５の下端がリミットブロック１０と当接し、それにより傾いているスマホカバーを支えることができ、移動板２３を引き動かし又は推し動かし、第一捻りばね５２とロープ２０との協働により回転軸５３が回転し、それにより回転ギヤ５１と、従動ギヤ１７と従動軸１６とが回転し、第二捻りばね１５とチェーン９との協働によりチェーンを伸ばし又は収縮することが実現され、それにより復帰ばね７の協働によりスマホカバー１の傾斜角度を調整することが実現される。
【００１８】
装置を復帰させる時、支持ロッド５とリミットロッド１１とを引き込み、移動板２３を繰り返して引き動かし、この時に電磁ロッド３６が作動していなく、それにより電磁ロッド３６が復帰した後、推し動かしギヤ３８の伝動により、押し出し板３４と台形ブロック４０とが復帰し、それにより昇降ブロック４７と、連結ブロック４２と制限ブロック４８とが復帰し、昇降ブロック４７が再び推し動かし溝５０の中に入り、移動板２３が再び右へ運動する時、閉鎖板３０が復帰し、それによりスライド板１８がスライドばね２６と気圧との作用の下で復帰する。
【００１９】
本発明の有益な効果は：本装置は構成が簡単で、操作が便利で、スマホが傾いてもスマホをしっかりと支えることができ、使用者に便利を与え、またスマホの傾斜角度を自由に制御でき、それにより異なる角度でスマホを弄ることができ、今までのスマホホルダーと比べ、本装置は人自身がスマホの傾斜角度に適応することが不要で、自由にスマホの傾斜角度を調整でき、それによりスマホが使用者にとって一番適合な角度で置かれることができる。
【００２０】
上記の記載は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定された保護範囲を基準とするべきである。
【図１】
2020179080.tif 000003
【図２】
2020179080.tif 000004
【図３】
2020179080.tif 000005
【図４】
2020179080.tif 000006
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
スマホカバー及び前記スマホカバーの中に位置しており、且つ左方に開口した保存溝を含み、前記保存溝の右端壁の中には右方に開口した旋回溝が設置され、前記旋回溝の中には旋回機構が設置され、前記旋回機構は前記旋回溝の上端壁に位置している固定ブロックを含み、二つの前記固定ブロックの間には固定軸が設置され、前記固定軸には支持ロッドが設置され、前記旋回溝の下端壁には二つの支持ブロックが設置され、二つの前記支持ブロックの間には支持軸が設置され、前記支持軸にはリミットロッドが設置され、前記リミットロッドの中には左方に開口したばね溝が設置され、前記ばね溝の中には左端が前記旋回溝の中に位置しているリミットブロックが設置され、前記旋回溝の下端壁の中には左方に開口した移動チャンバが設置され、前記移動チャンバの中には移動板が設置され、前記移動チャンバの後端壁の中には移動機構が設置され、前記移動機構は前記移動チャンバの後端壁の中に位置している平行移動チャンバと閉鎖チャンバとを含み、前記平行移動チャンバの中には前端が前記移動板と連結されている平行移動板が設置され、前記平行移動板の右端には右端が前記閉鎖チャンバの中に位置している平行移動ロッドが設置され、前記平行移動ロッドの右端には閉鎖板がスライドできるように設置され、前記平行移動ロッドの右端には推し動かし板が設置され、前記平行移動ロッドの右端には上方に開口した推し動かし溝が設置され、前記スマホカバーの中にはまた前記旋回溝を貫通しているスライドチャンバが設置され、前記スライドチャンバの中にはスライド板が設置され、前記スライドチャンバの上端壁には下端壁の前側が前記スライドチャンバに連通している気圧チャンバが設置され、前記気圧チャンバの中には二つの気圧板が設置され、二つの前記気圧板の間には気圧ロッドが設置され、且つ前側の前記気圧板の下端が前記スライド板と連結され、前記スライド板の後側には後端が前記スライドチャンバの後端壁と連結される二つのスライドばねが設置され、前記移動板の右端には上方に開口したスライド溝が設置され、前記移動チャンバの後端壁には前記スライドチャンバと前記移動チャンバとを連通する収納溝が設置され、前記スライド板の下端が前記移動チャンバを貫通しており、且つ前記スライド溝の中に位置しており、
前記旋回機構はまた前記ばね溝の上端壁の中に位置している回転溝を含み、前記回転溝の左右端壁の間には回転軸と従動軸とが設置され、前記回転軸には回転ギヤが設置され、前記回転軸と前記回転溝の端壁との間には第一捻りばねが設置され、前記従動軸には従動ギヤが設置され、前記従動軸と前記回転溝の端壁との間には第二捻りばねが設置され、前記回転軸の左端には下端が前記移動板と連結されているロープが設置され、前記従動軸には下端が前記リミットブロックと連結されているチェーンが設置され、前記リミットブロックの右端と前記ばね溝の上端壁との間には復帰ばねが設置され、
前記移動機構はまた前記平行移動チャンバの中に位置している推し動かしチャンバを含み、前記推し動かしチャンバの前後端壁の間には推し動かし軸が設置され、前記推し動かし軸には推し動かしギヤが設置され、前記推し動かしギヤの上端には左端が前記平行移動チャンバの中に位置している電磁ロッドが噛み合って連結され、前記推し動かしチャンバの下端壁の中には右方に開口した押し出しチャンバが設置され、前記押し出しチャンバの左端壁には押し出しばねが設置され、前記押し出しばねの右端には上端が前記推し動かしギヤと噛み合って連結されている押し出し板が設置され、前記押し出し板の右端には台形ブロックが設置され、前記閉鎖板の中には昇降チャンバが設置され、前記昇降チャンバの左端壁には左方に開口した昇降溝が設置され、前記昇降チャンバの中には右端が前記昇降ブロックと連結されている連結ブロックが設置され、前記昇降チャンバの右端壁には左方に開口した制限チャンバが設置され、前記制限チャンバの上端壁には制限ばねが設置され、前記制限ばねの下端には左端が前記昇降ブロックと連結されている制限ブロックが設置され、前記閉鎖チャンバの右端壁には前記気圧チャンバに連通している通気パイプが設置され、
最初に前記電磁ロッドと前記平行移動板とが互いに吸引し合い、本装置を使用する時、前記スライド板を後へ推し動かし、それにより前記気圧ロッドと前記気圧板とが後に運動し、それにより前記閉鎖板と、前記平行移動ロッドと、前記平行移動板と前記移動板とが左へ運動し、前記平行移動板の運動が前記電磁ロッドを運動連動させ、それにより前記推し動かしギヤが回転し、それにより前記押し出し板と前記台形ブロックとが右へ押し出され、前記スライド板が一番後ろまで運動した時、前記閉鎖板が一番左側に運動し、前記台形ブロックの作用の下で、前記連結ブロックと、前記昇降ブロックと前記制限ブロックとが上昇し、前記昇降ブロックが上昇して前記推し動かし溝から離れ、
まず前記リミットロッドを回転させ、そして前記支持ロッドを回転させ、前記支持ロッドの下端が前記リミットブロックと当接し、それにより傾いている前記スマホカバーを支えることができ、前記移動板を引き動かし又は推し動かし、前記第一捻りばねと前記ロープとの協働により前記回転軸が回転し、それにより前記回転ギヤと、前記従動ギヤと前記従動軸とが回転し、前記第二捻りばねと前記チェーンとの協働により前記チェーンを伸ばし又は収縮することが実現され、それにより前記復帰ばねの協働により前記スマホカバーの傾斜角度を調整することが実現され、
装置を復帰させる時、前記支持ロッドと前記リミットロッドとを引き込み、前記移動板を繰り返して引き動かし、この時に前記電磁ロッドが作動していなく、それにより前記電磁ロッドが復帰した後、前記推し動かしギヤの伝動により、前記押し出し板と前記台形ブロックとが復帰し、それにより前記昇降ブロックと、前記連結ブロックと前記制限ブロックとが復帰し、前記昇降ブロックが再び前記推し動かし溝の中に入り、前記移動板が再び右へ運動する時、前記閉鎖板が復帰し、それにより前記スライド板が前記スライドばねと気圧との作用の下で復帰することを特徴とするスマホを支えられるスマホカバー。
【手続補正２】
【補正対象書類名】明細書
【補正対象項目名】全文
【補正方法】変更
【補正の内容】
【発明の詳細な説明】
【技術分野】
【０００１】
本発明はスマホカバー分野に関わり、具体的にはスマホを支えられるスマホカバーである。
【背景技術】
【０００２】
目下、今までのスマホホルダーの多数はスマホを支える角度を変えられなく、人自身が携帯の傾斜角度に適応することが必要であり、それにより使用者にとって非常に不便であり、またあるスマホホルダーが異なる角度に変化できてもるスマホホルダーもあるが、スマホを支えるのが不安定である。
【先行技術文献】
【特許文献】
【０００３】
【特許文献１】中国特許出願公開第１０８１２４０３９号明細書
【発明の概要】
【発明が解決しようとする課題】
【０００４】
本発明の目的はスマホを支えられるスマホカバーを提供し、上記の背景技術の中に提出された問題を解決するのである。
【課題を解決するための手段】
【０００５】
上記の目的を実現するため、本発明は以下の技術プランを提供する：本発明はスマホを支えられるスマホカバーであり、スマホを支えられるスマホカバーはスマホカバー及び前記スマホカバーの中に位置しており、且つ左方に開口した保存溝を含み、前記保存溝の右端壁の中には右方に開口した旋回溝が設置され、前記旋回溝の中には旋回機構が設置され、前記旋回機構は前記旋回溝の上端壁に位置している固定ブロックを含み、二つの前記固定ブロックの間には固定軸が設置され、前記固定軸には支持ロッドが設置され、前記旋回溝の下端壁には二つの支持ブロックが設置され、二つの前記支持ブロックの間には支持軸が設置され、前記支持軸にはリミットロッドが設置され、前記リミットロッドの中には左方に開口したばね溝が設置され、前記ばね溝の中には左端が前記旋回溝の中に位置しているリミットブロックが設置され、前記旋回溝の下端壁の中には左方に開口した移動チャンバが設置され、前記移動チャンバの中には移動板が設置され、前記移動チャンバの後端壁の中には移動機構が設置され、前記移動機構は前記移動チャンバの後端壁の中に位置している平行移動チャンバと閉鎖チャンバとを含み、前記平行移動チャンバの中には前端が前記移動板と連結されている平行移動板が設置され、前記平行移動板の右端には右端が前記閉鎖チャンバの中に位置している平行移動ロッドが設置され、前記平行移動ロッドの右端には閉鎖板がスライドできるように設置され、前記平行移動ロッドの右端には推し動かし板が設置され、前記平行移動ロッドの右端には上方に開口した推し動かし溝が設置され、前記スマホカバーの中にはまた前記旋回溝を貫通しているスライドチャンバが設置され、前記スライドチャンバの中にはスライド板が設置され、前記スライドチャンバの上端壁には下端壁の前側が前記スライドチャンバに連通している気圧チャンバが設置され、前記気圧チャンバの中には二つの気圧板が設置され、二つの前記気圧板の間には気圧ロッドが設置され、且つ前側の前記気圧板の下端が前記スライド板と連結され、前記スライド板の後側には後端が前記スライドチャンバの後端壁と連結される二つのスライドばねが設置され、前記移動板の右端には上方に開口したスライド溝が設置され、前記移動チャンバの後端壁には前記スライドチャンバと前記移動チャンバとを連通する収納溝が設置され、前記スライド板の下端が前記移動チャンバを貫通しており、且つ前記スライド溝の中に位置している。
【０００６】
好ましくは、前記旋回機構はまた前記ばね溝の上端壁の中に位置している回転溝を含み、前記回転溝の左右端壁の間には回転軸と従動軸とが設置され、前記回転軸には回転ギヤが設置され、前記回転軸と前記回転溝の端壁との間には第一捻りばねが設置され、前記従動軸には従動ギヤが設置され、前記従動軸と前記回転溝の端壁との間には第二捻りばねが設置され、前記回転軸の左端には下端が前記移動板と連結されているロープが設置され、前記従動軸には下端が前記リミットブロックと連結されているチェーンが設置され、前記リミットブロックの右端と前記ばね溝の上端壁との間には復帰ばねが設置される。
【０００７】
好ましくは、前記移動機構はまた前記平行移動チャンバの中に位置している推し動かしチャンバを含み、前記推し動かしチャンバの前後端壁の間には推し動かし軸が設置され、前記推し動かし軸には推し動かしギヤが設置され、前記推し動かしギヤの上端には左端が前記平行移動チャンバの中に位置している電磁ロッドが噛み合って連結され、前記推し動かしチャンバの下端壁の中には右方に開口した押し出しチャンバが設置され、前記押し出しチャンバの左端壁には押し出しばねが設置され、前記押し出しばねの右端には上端が前記推し動かしギヤと噛み合って連結されている押し出し板が設置され、前記押し出し板の右端には台形ブロックが設置され、前記閉鎖板の中には昇降チャンバが設置され、前記昇降チャンバの左端壁には左方に開口した昇降溝が設置され、前記昇降チャンバの中には右端が前記昇降ブロックと連結されている連結ブロックが設置され、前記昇降チャンバの右端壁には左方に開口した制限チャンバが設置され、前記制限チャンバの上端壁には制限ばねが設置され、前記制限ばねの下端には左端が前記昇降ブロックと連結されている制限ブロックが設置され、前記閉鎖チャンバの右端壁には前記気圧チャンバに連通している通気パイプが設置される。
【発明の効果】
【０００８】
以上により、本発明の有益な効果は：本装置は構成が簡単で、操作が便利で、スマホが傾いてもそれスマホをしっかりと支えることができ、使用者に便利を与え、またスマホの傾斜角度を自由に制御でき、それにより異なる角度でスマホを弄ることができ、今までのスマホホルダーと比べ、本装置は人自身がスマホの傾斜角度に適応することが不要で、自由にスマホの傾斜角度を調整でき、それによりスマホが使用者にとって一番適合な角度で置かれることができる。
【図面の簡単な説明】
【０００９】
本発明の実施例または既存の技術にある技術方案をよりはっきり説明できるため、下記に実施例または既存の技術を述べることに対して必要な附図を簡単に紹介する。明らかなように、下記に述べる附図はただ発明の一部分の実施例で、当業者にとって、創造的な労働を払わなくても、これらの附図に基づいてほかの附図を獲得でき、次に図１―４を交えて本発明について詳しく説明する。意思の疎通に便利なために、後文に出る方位を下記通りに規定する：後文に出る上下左右前後方向は図１主体の投影関係の上下左右前後方向と一致する。
【００１０】
【図１】図１は本発明のスマホを支えられるスマホカバーの全体断面の正面構造模式図
【図２】図２は本発明のスマホを支えられるスマホカバーの全体断面の左側面の構造模式図
【図３】図３は本発明のスマホを支えられるスマホカバーの移動機構の全体断面の正面拡大構造模式図
【図４】図４は本発明のスマホを支えられるスマホカバーの回転溝の全体断面の左側面の拡大構造模式図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４を参照し、本発明の実施例はスマホを支えられるスマホカバーであり、スマホを支えられるスマホカバーはスマホカバー１及び前記スマホカバー１の中に位置しており、且つ左方に開口した保存溝２を含み、前記保存溝２の右端壁の中には右方に開口した旋回溝６が設置され、前記旋回溝６の中には旋回機構５４が設置され、前記旋回機構５４は前記旋回溝６の上端壁に位置している固定ブロック４を含み、二つの前記固定ブロック４の間には固定軸３が設置され、前記固定軸３には支持ロッド５が設置され、前記旋回溝６の下端壁には二つの支持ブロック１３が設置され、二つの前記支持ブロック１３の間には支持軸１２が設置され、前記支持軸１２にはリミットロッド１１が設置され、前記リミットロッド１１の中には左方に開口したばね溝８が設置され、前記ばね溝８の中には左端が前記旋回溝６の中に位置しているリミットブロック１０が設置され、前記旋回溝６の下端壁の中には左方に開口した移動チャンバ２１が設置され、前記移動チャンバ２１の中には移動板２３が設置され、前記移動チャンバ２１の後端壁の中には移動機構５５が設置され、前記移動機構５５は前記移動チャンバ２１の後端壁の中に位置している平行移動チャンバ３３と閉鎖チャンバ４１とを含み、前記平行移動チャンバ３３の中には前端が前記移動板２３と連結されている平行移動板３２が設置され、前記平行移動板３２の右端には右端が前記閉鎖チャンバ４１の中に位置している平行移動ロッド３５が設置され、前記平行移動ロッド３５の右端には閉鎖板３０がスライドできるように設置され、前記平行移動ロッド３５の右端には推し動かし板４９が設置され、前記平行移動ロッド３５の右端には上方に開口した推し動かし溝５０が設置され、前記スマホカバー１の中にはまた前記旋回溝６を貫通しているスライドチャンバ１９が設置され、前記スライドチャンバ１９の中にはスライド板１８が設置され、前記スライドチャンバ１９の上端壁には下端壁の前側が前記スライドチャンバ１９に連通している気圧チャンバ２７が設置され、前記気圧チャンバ２７の中には二つの気圧板２８が設置され、二つの前記気圧板２８の間には気圧ロッド２９が設置され、且つ前側の前記気圧板２８の下端が前記スライド板１８と連結され、前記スライド板１８の後側には後端が前記スライドチャンバ１９の後端壁と連結される二つのスライドばね２６が設置され、前記移動板２３の右端には上方に開口したスライド溝２２が設置され、前記移動チャンバ２１の後端壁には前記スライドチャンバ１９と前記移動チャンバ２１とを連通する収納溝２４が設置され、前記スライド板１８の下端が前記移動チャンバ２１を貫通しており、且つ前記スライド溝２２の中に位置している。
【００１３】
有益なように、前記旋回機構５４はまた前記ばね溝８の上端壁の中に位置している回転溝１４を含み、前記回転溝１４の左右端壁の間には回転軸５３と従動軸１６とが設置され、前記回転軸５３には回転ギヤ５１が設置され、前記回転軸５３と前記回転溝１４の端壁との間には第一捻りばね５２が設置され、前記従動軸１６には従動ギヤ１７が設置され、前記従動軸１６と前記回転溝１４の端壁との間には第二捻りばね１５が設置され、前記回転軸５３の左端には下端が前記移動板２３と連結されているロープ２０が設置され、前記従動軸１６には下端が前記リミットブロック１０と連結されているチェーン９が設置され、前記リミットブロック１０の右端と前記ばね溝８の上端壁との間には復帰ばね７が設置される。
【００１４】
有益なように、前記移動機構５５はまた前記平行移動チャンバ３３の中に位置している推し動かしチャンバ３７を含み、前記推し動かしチャンバ３７の前後端壁の間には推し動かし軸３９が設置され、前記推し動かし軸３９には推し動かしギヤ３８が設置され、前記推し動かしギヤ３８の上端には左端が前記平行移動チャンバ３３の中に位置している電磁ロッド３６が噛み合って連結され、前記推し動かしチャンバ３７の下端壁の中には右方に開口した押し出しチャンバ５６が設置され、前記押し出しチャンバ５６の左端壁には押し出しばね３１が設置され、前記押し出しばね３１の右端には上端が前記推し動かしギヤ３８と噛み合って連結されている押し出し板３４が設置され、前記押し出し板３４の右端には台形ブロック４０が設置され、前記閉鎖板３０の中には昇降チャンバ４４が設置され、前記昇降チャンバ４４の左端壁には左方に開口した昇降溝４３が設置され、前記昇降チャンバ４４の中には右端が前記昇降ブロック４７と連結されている連結ブロック４２が設置され、前記昇降チャンバ４４の右端壁には左方に開口した制限チャンバ４６が設置され、前記制限チャンバ４６の上端壁には制限ばね４５が設置され、前記制限ばね４５の下端には左端が前記昇降ブロック４７と連結されている制限ブロック４８が設置され、前記閉鎖チャンバ４１の右端壁には前記気圧チャンバ２７に連通している通気パイプ２５が設置される。
【００１５】
下記に、出願人は附図１〜４及び上記のスマホを支えられるスマホカバーの具体的な構成を参考してスマホを支えられるスマホカバーの使用方法を紹介する：
【００１６】
最初に電磁ロッド３６と平行移動板３２とが互いに吸引し合い、本装置を使用する時、スライド板１８を後へ推し動かし、それにより気圧ロッド１９と気圧板２８とが後に運動し、それにより閉鎖板３０と、平行移動ロッド３５と、平行移動板３２と移動板２３とが左へ運動し、平行移動板３２の運動が電磁ロッド３６を運動連動させ、それにより推し動かしギヤ３８が回転し、それにより押し出し板３４と台形ブロック４０とが右へ押し出され、スライド板１８が一番後ろまで運動した時、閉鎖板３０が一番左側に運動し、台形ブロック４０の作用の下で、連結ブロック４２と、昇降ブロック４７と制限ブロック４８とが上昇し、昇降ブロック４７が上昇して推し動かし溝５０から離れる。
【００１７】
まずリミットロッド１１を回転させ、そして支持ロッド５を回転させ、支持ロッド５の下端がリミットブロック１０と当接し、それにより傾いているスマホカバーを支えることができ、移動板２３を引き動かし又は推し動かし、第一捻りばね５２とロープ２０との協働により回転軸５３が回転し、それにより回転ギヤ５１と、従動ギヤ１７と従動軸１６とが回転し、第二捻りばね１５とチェーン９との協働によりチェーンを伸ばし又は収縮することが実現され、それにより復帰ばね７の協働によりスマホカバー１の傾斜角度を調整することが実現される。
【００１８】
装置を復帰させる時、支持ロッド５とリミットロッド１１とを引き込み、移動板２３を繰り返して引き動かし、この時に電磁ロッド３６が作動していなく、それにより電磁ロッド３６が復帰した後、推し動かしギヤ３８の伝動により、押し出し板３４と台形ブロック４０とが復帰し、それにより昇降ブロック４７と、連結ブロック４２と制限ブロック４８とが復帰し、昇降ブロック４７が再び推し動かし溝５０の中に入り、移動板２３が再び右へ運動する時、閉鎖板３０が復帰し、それによりスライド板１８がスライドばね２６と気圧との作用の下で復帰する。
【００１９】
本発明の有益な効果は：本装置は構成が簡単で、操作が便利で、スマホが傾いてもスマホをしっかりと支えることができ、使用者に便利を与え、またスマホの傾斜角度を自由に制御でき、それにより異なる角度でスマホを弄ることができ、今までのスマホホルダーと比べ、本装置は人自身がスマホの傾斜角度に適応することが不要で、自由にスマホの傾斜角度を調整でき、それによりスマホが使用者にとって一番適合な角度で置かれることができる。
【００２０】
上記の記載は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定された保護範囲を基準とするべきである。